(57)【要約】【課題】枝線部分が分岐する幹線部分を、不織部材により覆ってホットプレスする際に、幹線部分から分岐する枝線部分の加熱を抑制することを目的とする。【解決手段】ワイヤーハーネス１０は、ワイヤーハーネス本体１２と、保護部材２０とを備える。ワイヤーハーネス本体１２は、幹線部分１４と、幹線部分１４から分岐する枝線部分１６とを含む。保護部材２０は、不織部材が幹線部分１４と枝線部分１６の基端部を覆った状態で、不織部材のうち少なくとも幹線部分１４を覆う部分がホットプレスすることにより形成されている。保護部材２０のうち枝線部分１６の基端部を覆う部分は幹線部分１４を覆う部分よりも柔らかく形成されている。【選択図】図１
2014107919.tif 000002
【特許請求の範囲】
【請求項１】
幹線部分と前記幹線部分から分岐する枝線部分とを含むワイヤーハーネス本体と、
不織部材が前記幹線部分と前記枝線部分の基端部を覆った状態で、前記不織部材のうち少なくとも前記幹線部分を覆う部分がホットプレスすることにより形成され、前記枝線部分の基端部を覆う部分が前記幹線部分を覆う部分よりも柔らかく形成された保護部材と、
を備えるワイヤーハーネス。
【請求項２】
請求項１記載のワイヤーハーネスであって、
前記保護部材は、一辺部分の中間部から内側に向けてスリットが形成されたシート状の前記不織部材が、前記スリットの基端部に前記枝線部分の基端部を配設した状態で、前記不織部材のうち前記スリットの両側部分が前記幹線部分に巻付けられることにより、形成されている、ワイヤーハーネス。
【請求項３】
請求項２記載のワイヤーハーネスであって、
前記不織部材のうち前記スリットの前記基端側への延長部分が他の部分よりも厚く形成され、その延長部分が前記枝線部分に対応する位置で前記幹線部分に巻付けられている、ワイヤーハーネス。
【請求項４】
(a)幹線部分と前記幹線部分から分岐する枝線部分とを含むワイヤーハーネス本体を準備する工程と、
(b)不織部材により前記幹線部分と前記枝線部分の基端部を覆う工程と、
(c)前記不織部材のうち前記幹線部分を覆う部分を加熱及び加圧する成型面を有するホットプレス用成形型によって、前記不織部材のうち前記枝線部分の基端部を覆う部分を前記成型面からはみ出させた状態で、前記不織部材のうち前記幹線部分を覆う部分をホットプレスする工程と、
を備えるワイヤーハーネスの製造方法。
【請求項５】
請求項４記載のワイヤーハーネスの製造方法であって、
前記工程(c)において、前記不織部材のうち前記枝線部分の基端部を覆う部分の先端部は前記ホットプレス用成形型の外方にはみ出ている、ワイヤーハーネスの製造方法。
【請求項６】
請求項４又は請求項５記載のワイヤーハーネスの製造方法であって、
前記工程(b)において、前記不織部材として、一辺部分の中間部から内側に向けてスリットが形成されたシート状のものを用い、前記スリットの基端部に前記枝線部分の基端部を配設した状態で、前記不織部材のうち前記スリットの両側部分を前記幹線部分に巻付ける、ワイヤーハーネスの製造方法。
【請求項７】
請求項６記載のワイヤーハーネスの製造方法であって、
前記不織部材のうち前記スリットの前記基端側への延長部分が他の部分よりも厚く形成され、その延長部分が前記枝線部分に対応する位置で前記幹線部分に巻付けられている、ワイヤーハーネスの製造方法。
【請求項８】
請求項７記載のワイヤーハーネスの製造方法であって、
前記不織部材のうち前記スリットに対応する部分を、前記スリットの基端部で前記スリットの基端部への延長部分に折返して、前記不織部材のうち前記スリットの前記基端側への延長部分を他の部分よりも厚くする、ワイヤーハーネスの製造方法。
【発明の詳細な説明】
【技術分野】
【０００１】
この発明は、ワイヤーハーネスの分岐部分を保護する技術に関する。
【背景技術】
【０００２】
従来、ワイヤーハーネスの分岐部を不織部材によって保護する技術として、特許文献１に開示のものがある。
【０００３】
特許文献１は、不織部材を分岐部に対してその分岐形状に沿った形状で覆う構成として、切込みを形成したシート状不織部材を前記分岐部分に巻付ける構成を開示している。分岐部分を覆う不織部材は、成形金型によって分岐形状に応じた所定形状に成形される。
【先行技術文献】
【特許文献】
【０００４】
【特許文献１】特開２０１２−３９７８２号公報
【発明の概要】
【発明が解決しようとする課題】
【０００５】
しかしながら、切込みを形成したシート状不織部材を前記分岐部分に巻付ける構成では、前記切込み部分の基端部を開口として、枝線部分が外部に延出される。このため、不織部材を成形金型によって所定形状に成形する際に、前記開口近くで、枝線部分の基端部が加熱されてしまう恐れがある。
【０００６】
そこで、本発明は、枝線部分が分岐する幹線部分を、不織部材により覆ってホットプレスする際に、幹線部分から分岐する枝線部分の加熱を抑制することを目的とする。
【課題を解決するための手段】
【０００７】
上記課題を解決するため、第１の態様に係るワイヤーハーネスは、幹線部分と前記幹線部分から分岐する枝線部分とを含むワイヤーハーネス本体と、不織部材が前記幹線部分と前記枝線部分の基端部を覆った状態で、前記不織部材のうち少なくとも前記幹線部分を覆う部分がホットプレスすることにより形成され、前記枝線部分の基端部を覆う部分が前記幹線部分を覆う部分よりも柔らかく形成された保護部材とを備える。
【０００８】
第２の態様は、第１の態様に係るワイヤーハーネスであって、前記保護部材は、一辺部分の中間部から内側に向けてスリットが形成されたシート状の前記不織部材が、前記スリットの基端部に前記枝線部分の基端部を配設した状態で、前記不織部材のうち前記スリットの両側部分が前記幹線部分に巻付けられることにより、形成されている。
【０００９】
第３の態様は、第２の態様に係るワイヤーハーネスであって、前記不織部材のうち前記スリットの前記基端側への延長部分が他の部分よりも厚く形成され、その延長部分が前記枝線部分に対応する位置で前記幹線部分に巻付けられている。
【００１０】
第４の態様に係るワイヤーハーネスの製造方法は、(a)幹線部分と前記幹線部分から分岐する枝線部分とを含むワイヤーハーネス本体を準備する工程と、(b)不織部材により前記幹線部分と前記枝線部分の基端部を覆う工程と、(c)前記不織部材のうち前記幹線部分を覆う部分を加熱及び加圧する成型面を有するホットプレス用成形型によって、前記不織部材のうち前記枝線部分の基端部を覆う部分を前記成型面からはみ出させた状態で、前記不織部材のうち前記幹線部分を覆う部分をホットプレスする工程と、を備える。
【００１１】
第５の態様は、第４の態様に係るワイヤーハーネスの製造方法であって、前記工程(c)において、前記不織部材のうち前記枝線部分の基端部を覆う部分の先端部は前記ホットプレス用成形型の外方にはみ出ているものである。
【００１２】
第６の態様は、第４又は第５の態様に係るワイヤーハーネスの製造方法であって、前記工程(b)において、前記不織部材として、その一辺部分の中間部から内側に向けてスリットが形成されたシート状のものを用い、前記スリットの基端部に前記枝線部分の基端部を配設した状態で、前記不織部材のうち前記スリットの両側部分を前記幹線部分に巻付けるものである。
【００１３】
第７の態様は、第６の態様に係るワイヤーハーネスの製造方法であって、前記不織部材のうち前記スリットの前記基端側への延長部分が他の部分よりも厚く形成され、その延長部分が前記枝線部分に対応する位置で前記幹線部分に巻付けられているものである。
【００１４】
第８の態様は、第７の態様に係るワイヤーハーネスの製造方法であって、前記不織部材のうち前記スリットに対応する部分を、前記スリットの基端部で前記スリットの基端部への延長部分に折返して、前記不織部材のうち前記スリットの前記基端側への延長部分を他の部分よりも厚くするものである。
【発明の効果】
【００１５】
第１の態様によると、保護部材は、不織部材が前記幹線部分と前記枝線部分の基端部を覆った状態で、前記不織部材のうち少なくとも前記幹線部分を覆う部分がホットプレスすることにより形成されており、前記不織部材のうち枝線部分の基端部を覆う部分が前記幹線部分を覆う部分よりも柔らかく形成されているため、幹線部分から分岐する枝線部分の加熱を抑制することができる。
【００１６】
第２の態様によると、幹線部分に巻付けられた不織部材の隙間をなるべく無くし、かつ、厚みの均一化を図ることができる。
【００１７】
第３の態様によると、幹線部分のうち枝線部分に対応する位置でも、不織部材を厚くすることができる。
【００１８】
第４の態様によると、前記不織部材のうち前記枝線部分の基端部を覆う部分を前記成型面からはみ出させた状態で、前記不織部材のうち前記幹線部分を覆う部分をホットプレスするため、幹線部分から分岐する枝線部分の加熱を抑制することができる。
【００１９】
第５の態様によると、枝線部分はホットプレス用成形型の外方で不織部材から露出するため、枝線部分の加熱をより確実に抑制できる。
【００２０】
第６の態様によると、幹線部分に巻付けられた不織部材の隙間をなるべく無くし、かつ、厚みの均一化を図ることができる。
【００２１】
第７の態様によると、幹線部分のうち枝線部分に対応する位置でも、不織部材を厚くすることができる。
【００２２】
第８の態様によると、前記不織部材のうち前記スリットの前記基端側への延長部分を他の部分よりも容易に厚くすることができる。
【図面の簡単な説明】
【００２３】
【図１】実施形態に係るワイヤーハーネスを示す概略斜視図である。
【図２】同上のワイヤーハーネスを示す概略平面図である。
【図３】同上のワイヤーハーネスを車両に組付けた状態を示す説明図である。
【図４】ワイヤーハーネス本体を示す概略平面図である。
【図５】不織部材の一例を示す説明図である。
【図６】不織部材の一例を示す説明図である。
【図７】ワイヤーハーネス本体に不織部材を巻付ける途中工程を示す説明図である。
【図８】ワイヤーハーネス本体に不織部材を巻付けた状態を示す概略斜視図である。
【図９】図８のＩＸ−ＩＸ線における概略断面図である。
【図１０】図８のＸ−Ｘ線における概略断面図である。
【図１１】ホットプレス用成形型を示す概略斜視図である。
【図１２】ホットプレス用成形型に不織部材をセットした状態を示す概略平面図である。
【図１３】ホットプレス用成形型に不織部材をセットした状態を示す概略断面図である。
【発明を実施するための形態】
【００２４】
以下、実施形態に係るワイヤーハーネス及びワイヤーハーネスの製造方法について説明する。図１はワイヤーハーネス１０を示す概略斜視図であり、図２はワイヤーハーネス１０を示す概略平面図である。
【００２５】
ワイヤーハーネス１０は、ワイヤーハーネス本体１２と、保護部材２０とを備える。
【００２６】
ワイヤーハーネス本体１２は、複数の電線が束ねられた構成とされている。より具体的には、ワイヤーハーネス本体１２は、複数の電線が車両等の配設対象箇所の配線形態に応じて分岐しつつ束ねられた構成とされている。ワイヤーハーネス本体１２は、光ファイバケーブル等を含んでいてもよい。このワイヤーハーネス本体１２は、車両等の配設対象箇所に配設された状態で、車両等に搭載された各種電気機器同士を電気的に接続する配線として用いられる。
【００２７】
このワイヤーハーネス本体１２は、幹線部分１４と、当該幹線部分１４から分岐する枝線部分１６とを含む。すなわち、複数の電線が粘着テープ等の結束部材を用いて仮結束され、複数の電線が幹線部分１４を構成するように束ねられると共に、複数の電線の一部が幹線部分１４から分岐して枝線部分１６を形成している。枝線部分１６は、複数の電線が束ねられたものであってもよいし、１つ電線により構成されていてもよい。
【００２８】
上記ワイヤーハーネス本体１２において、分岐する３つの電線束のうち任意の２つを幹線部分１４とし、残りの１つの枝線部分１６とすることができる。通常は、分岐する３つの電線束のうち、太径のもの２つ又は電線本数の多いもの２つが幹線部分１４として選ばれ、細径のものが枝線部分１６として選ばれる。
【００２９】
また、幹線部分１４は、少なくとも上記分岐箇所から延出する部分では直線状をなしている。幹線部分１４の他の部分において、屈曲していてもよいし、また、他の電線が分岐していてもよい。また、幹線部分１４が、上記枝線部分１６が分岐する箇所で曲っていてもよい。さらには、幹線部分１４の同一箇所において複数の枝線部分１６が延出していてもよい。
【００３０】
保護部材２０は、不織部材が幹線部分１４と枝線部分１６の基端部を覆った状態で、当該不織部材のうち少なくとも一部がホットプレスされることにより形成された構成とされている。
【００３１】
ここで、不織部材としては、加熱及び加圧工程を経ることにより硬くなり、かつ、相互接合可能な不織材料が用いられる。
【００３２】
かかる不織材料としては、絡み合う基本繊維と、接着樹脂（バインダとも呼ばれる）とを含むものを用いることができる。接着樹脂は、基本繊維の融点よりも低い融点を有する樹脂である。そして、不織材料を、基本繊維の融点よりも低くかつ接着樹脂の融点よりも高い加工温度に加熱することで、接着樹脂が溶融して基本繊維間に染みこむ。この後、不織材料が接着樹脂の融点よりも低い温度になると、基本繊維同士を結合した状態で接着樹脂が固化する。これより、不織材料が加熱前の状態よりも硬くなり、加熱時の成形形状に維持されるようになる。また、不織部材の接触部分にも接着樹脂が染込んで固化することで、不織部材の当該接触部分同士を接合する。かかる不織材料は、不織布ともいわれる。
【００３３】
接着樹脂は、粒状であっても繊維状であってもよい。芯繊維の外周に接着樹脂層を形成してバインダ繊維を構成し、これを基本繊維と絡み合わせるようにしてもよい。この場合の芯繊維としては、上記基本繊維と同材料のものを用いることができる。
【００３４】
上記基本繊維としては、接着樹脂の融点で繊維状態を保ち得ればよく、樹脂繊維の他、各種繊維を用いることができる。また、接着樹脂としては、基本繊維の融点よりも低い融点を持つ熱可塑性樹脂繊維を用いることができる。基本繊維と接着樹脂の組合わせとしては、基本繊維をＰＥＴ（ポリエチレンテレフタレート）の樹脂繊維とし、接着樹脂をＰＥＴとＰＥＩ（ポリエチレンイソフタレート）の共重合樹脂とした例が挙げられる。この場合、基本繊維の融点は接着樹脂の融点よりも大きく、このため、不織材料をその融点間の温度に加熱すると、接着樹脂が溶融し、溶融せずに繊維状を保つ基本繊維間に染込む。そして、不織材料が接着樹脂の融点よりも低い温度になると、基本繊維同士を結合した状態で接着樹脂が固化し、不織材料は硬くなって加熱時の成形形状を維持する。つまり、上記不織材料を、成型用の金型面を有する金型間に挟込み、加熱状態で金型に圧を加えることで、不織材料が前記金型面に応じた所定形状に金型成型され、冷却されると、当該金型成型された形状に維持される。また、不織部材の相互接触部分では、溶融した接着樹脂が相手側の部分に染みこんだ後、固化する。これにより、不織部材の相互接触部分同士が接合される。上記加工方法はホットプレスとよばれる。上記保護部材２０を製造するより具体的な例については後で説明する。
【００３５】
不織部材のうち幹線部分１４を覆う部分は、ホットプレスにより硬化された幹線保護部２４に形成されている。この幹線保護部２４は、当該幹線部分１４を密着状態で覆う筒形状に形成されている。ここでは、幹線保護部２４は、幹線部分１４の外形状に倣って円筒形状に形成されている。もっとも、当該部分は、楕円筒状、角筒状等、他の形状に形成されていてもよい。幹線保護部２４の長さ寸法は、特に限定されない。幹線保護部２４は、幹線部分１４のうち枝線部分１６に近い部分を覆う程度の長さ寸法であってもよいし、幹線部分１４のより全体手的な部分を覆える程度の長さ寸法であってもよい。
【００３６】
この幹線保護部２４は、幹線部分１４を所定経路形状に保つ役割を有している。また、この幹線保護部２４に次述する枝線保護部２６が一体形成されることで、幹線部分１４に対する枝線保護部２６の位置及び当該枝線保護部２６を通って延出する枝線部分１６の位置を一定位置に維持する役割を有している。
【００３７】
また、不織部材３０のうち枝線部分１６の基端部を覆う部分は、上記幹線保護部２４によりも柔らかい枝線保護部２６に形成されている。この枝線保護部２６は、上記幹線保護部２４の長手方向の途中から側方に突出するようにして当該幹線保護部２４に一体形成されている。この枝線保護部２６は、幹線部分１４から延出する枝線部分１６の基端部の位置を保持することで、その分岐位置を保持する役割を有する。
【００３８】
この枝線保護部２６は、上記幹線保護部２４よりも柔らかく形成されているので、当該枝線保護部２６を加工する際に、枝線保護部２６に作用する熱的影響を小さくすることができる。つまり、枝線保護部２６を柔らかく形成するためには、上記幹線保護部２４を形成する際に、枝線保護部２６に作用する温度又は圧縮率の少なくとも１つを、幹線保護部２４に作用するそれらの条件よりも小さくする必要がある。そして、枝線保護部２６自体に作用する温度が小さくなれば、その内部を通って案内される枝線部分１６に対する熱的影響を小さくすることができる。また、枝線保護部２６の圧縮率が小さくなれば、不織部材を通って内部の枝線部分１６に熱が伝わりにくくなるので、この場合にも、枝線保護部２６内部を通って案内される枝線部分１６に対する熱的影響を小さくすることができる。
【００３９】
また、枝線保護部２６は、上記枝線部分１６の基端部を覆うのみであるため、幹線保護部２４と一体形成された部分が枝線部分１６の付け根を覆う形状を維持することによって、枝線保護部２６全体として枝線部分１６の基端部を覆う状態を維持することができる。このため、枝線保護部２６を構成する不織部材については、加熱及び圧縮の程度は小さくてもよく、加熱及び圧縮は全くされていなくてもよい。
【００４０】
また、上記枝線保護部２６は、枝線部分１６の基端部のみを覆っているため、当該枝線部分１６を枝線保護部２６から延出した位置で自由に曲げて配索することができる。
【００４１】
図３は上記ワイヤーハーネス１０を車両に組付けた状態を示す説明図である。
【００４２】
すなわち、ワイヤーハーネス１０の幹線部分１４の途中に車両取付部材１００が取付けられている。ここでは、車両取付部材１００として、車体Ｂに形成された孔に固定可能なクランプ部１０２と、当該クランプ部１０２の頭部に細長板状部１０６が設けられたものと（いわゆる両袖クランプとも呼ばれるもの）が用いられている。この車両取付部材１００は、細長板状部１０６が粘着テープＴ等で幹線保護部２４に巻回固定されること等で、幹線保護部２４に取付けられている。このワイヤーハーネス１０の幹線保護部２４に対しては、複数の車両取付部材１００が間隔をあけて取付けられている。そして、各車両取付部材１００を車体Ｂに形成された孔に嵌込み固定することで、本ワイヤーハーネス１０が車体Ｂに沿って取付固定される。なお、ワイヤーハーネス１０は、その他の車両取付部材、例えば、バンド付クランプ等で固定されてもよい。
【００４３】
上記取付状態で、各車両取付部材１００の間の幹線保護部２４及びその内部の幹線部分１４は、当該幹線保護部２４の剛性によって直線状態に維持されている。このため、車体Ｂと接触等することなく、所定の配線形態が維持されている。
【００４４】
また、枝線部分１６については、枝線保護部２６から延出する部分で自由に曲げることができる。このため、枝線部分１６を幹線部分１４の側方に沿って延出させなくてもよい場合、例えば、ワイヤーハーネス１０を車両組付け工場に運搬搬送する場合、又は、枝線部分１６が車両におけるオプション部品用の配線等であって不使用とされる場合等には、枝線部分１６のうち枝線保護部２６から延出した部分が、幹線保護部２４に沿って配設され、粘着テープＴ等で巻回される（図３において２点鎖線で示す部分参照）。このため、当該状態では、枝線部分１６を、幹線部分１４及び幹線保護部２４に沿って配設した状態とすることができる。これにより、例えば、本ワイヤーハーネス１０の運搬搬送時には、荷姿に適したコンパクトでかつ突出形状の少ない形状とすることができる。
【００４５】
そして、枝線部分１６を使用する場合には、上記粘着テープＴによる拘束が解かれ、枝線部分１６は幹線部分１４及び幹線保護部２４から外側方に向けて引出されて、所定の配線経路に沿って配索される。
【００４６】
上記ワイヤーハーネス１０を製造するための製造方法例について説明する。
【００４７】
まず、図４に示すように、幹線部分１４と当該幹線部分１４から分岐する枝線部分１６とを含むワイヤーハーネス本体１２とを準備する。ワイヤーハーネス本体１２は、例えば、複数の電線を分岐させつつテープＴによる仮結束作業等を行うこと製造される。
【００４８】
次に、図５〜図７に示すように、不織部材３０により幹線部分１４と枝線部分１６の基端部とを覆う。
【００４９】
この際の不織部材３０としては、方形状に形成されたシート状の不織部材３０であって、その一辺部分の中間部（ここでは、一辺部分の中央部）からその内側に向けてスリット３２が形成されたものを用いることが好ましい。より好ましくは、不織部材３０のうちスリット３２の基端側への延長部分（図６の矢符Ｄ参照）が他の部分よりも厚く形成されていることが好ましい。
【００５０】
より具体的には、方形シート状の不織部材３０の一辺部分（図５〜図７の下側の辺部分）の中央部に、平行な切込み３１が形成され、当該切込み３１の間にスリット３２が形成されている。不織部材３０のうちスリット３２の基端側への延長部分、つまり、スリット３２の基端部と不織部材３０の他辺側部分との距離は、幹線部分１４のうち枝線部分１６が延出する部分の外周部であって、枝線部分１６が延出する部分を除く外周部分長を超える程度の長さ寸法であることが好ましい（図９参照）。これにより、不織部材３０のうちスリット３２の基端側への延長部分によって幹線部分１４を覆いつつ、枝線部分１６の基端部を覆うことができるからである。また、スリット３２の幅は、上記枝線部分１６の直径と同程度であることが好ましいが、枝線部分１６よりも小さくても大きくてもよい。また、スリット３２は、単に１本の線状の切込み状に形成されていてもよい。
【００５１】
また、不織部材３０のうち上記スリット３２に対応する部分の一部は切除されずに残っている。すなわち、不織部材３０のうち一対の切込み３１間の部分のうち先端側部分は切除され、基端側部分３１ａはスリット３２に対応する一部として切除されずに残っている。基端側部分３１ａの長さ寸法は、不織部材３０のうちスリット３２の基端側への延長部分（つまり、スリット３２の基端部と不織部材３０の他辺部分（図５〜図７の上側の辺部分））との距離と同じに設定されている。そして、前記基端側部分３１ａがその基端部で折られて、不織部材３０のうちスリット３２の基端側への延長部分上に折重ねられている。これにより、不織部材３０のうちスリット３２の基端側への延長部分が他の部分よりも厚く形成されている。これにより、他の不織部材３０を用いることなく、不織部材３０のうちスリット３２の基端側延長部分を容易に厚くすることができる。
【００５２】
もっとも、不織部材３０のうちスリット３２の基端側への延長部分は、他の不織部材が重ねられることで厚く形成されてもよい。また、不織部材３０のうちスリット３２の基端側への延長部分を厚くすることは必須ではない。
【００５３】
また、不織部材３０の上記一辺部分と他片部分とを結ぶ寸法は、幹線部分１４に対して１周以上、好ましくは、２周以上巻付けることが可能な長さ寸法に形成されていることが好ましい。
【００５４】
上記不織部材３０は、図７〜図９に示すようにして、ワイヤーハーネス本体１２を覆うように取付けられる。
【００５５】
すなわち、上記不織部材３０の他片側部分に沿ってワイヤーハーネス本体１２の幹線部分１４を配設する（図７参照）。この際、不織部材３０のうちスリット３２の基端側への延長部分上に枝線部分１６が配設されるようにする。
【００５６】
そして、スリット３２の基端部に枝線部分１６の基端部を配設しつつ、不織部材３０のうちスリット３２の基端側への延長部分を、幹線部分１４のうち枝線部分１６が分岐する箇所の周囲に巻付ける。すると、不織部材３０のうちスリット３２の基端側への延長部分は、幹線部分１４のうち枝線部分１６が分岐する箇所であって当該枝線部分１６が延出する箇所の残りの外周を覆うと共に、当該延長部分の両端部が枝線部分１６の基端部に当該基端部を挟込むように被さる（図８及び図９参照）。
【００５７】
また、不織部材３０のうち前記スリット３２及びその基端側への延長部分を挟む両側部分を、幹線部分１４のうち枝線部分１６が延出する箇所の両側部分に巻付ける（図８及び図１０参照）。
【００５８】
不織部材３０のうち前記スリット３２及びその基端側への延長部分を挟む両側部分には、不織部材３０が２周を越えるように巻付けられているため、当該幹線部分１４は、保護性能及び経路維持性能を得るのに十分な不織部材３０が巻付けられる（図１０参照）。なお、不織部材３０のうち巻き終りとなる端部の内側に両面テープ等を貼着けており、当該両面テープ等によって不織部材３０が巻付けられた状態を一時的に保持するようにするとよい。
【００５９】
また、上記幹線部分１４のうち枝線部分１６が分岐する箇所では、不織部材３０が１周だけ巻付けられているが、不織部材３０のうちスリット３２の基端側への延長部分は他の部分よりも厚く形成されているため、その両側部分と同程度の厚さになる。このため、この部分でも、幹線部分１４の保護性能及び経路維持性能を得るのに十分な不織部材３０が巻付けられる（図９参照）。
【００６０】
次に、上記不織部材３０をホットプレスする。
【００６１】
図１１は、ホットプレスに用いられるホットプレス用成形型６０の一例を示す斜視図である。ホットプレス用成形型６０は、下型６２と、上型７２とを備える。
【００６２】
下型６２は、熱伝導性に優れた金属等により形成された長尺部材であり、その一主面（上面）に下型面６４が形成されている。ここでは、下型６２には直線凹溝状に形成された下型面６４が形成されている。下型面６４の底部は、半円柱外周面状に形成され、上記幹線部分１４の下側半分の外周面を形作るようになっている。
【００６３】
また、下型面６４の一側部の長手方向中間部には、当該下型面６４の内外を貫通させる凹部６５が形成されている。ここでは、凹部６５は、下型面６４を挟む一対の壁部６３の一方の長手方向中間部に、その上部から底部に向けて凹む形状に形成されている。また、凹部６５のうち下型面６４の側方外側に形成される部分は、下型面６４の底部よりも凹むように形成されている。
【００６４】
上型７２は、熱伝導性に優れた金属等により形成された長尺部材であり、その一主面（下面）に上型面７４が形成されている。上型面７４は、下型面６４の上方開口を閉塞可能な形状、ここでは、半円柱外周面状に形成され、上記幹線部分１４の上側半分の外周面を形作るようになっている。
【００６５】
また、上型面７４の一側部の長手方向中間部であって上記凹部６５と対応する位置には、凹部７５が形成されている。凹部７５のうち上型面７４の側方外側に形成される部分は、上型面７４の上部よりも凹むように形成されている。
【００６６】
そして、上記下型面６４と上型面７４とで、幹線部分１４の外形状を形作るための、円柱外周面形状の成形面が形成される。また、その円柱外周面形状の型面の一側に、凹部６５、７５によって、枝線部分１６を外部に導き出すための、開口が形成される。
【００６７】
なお、上記下型６２及び上型７２には、加熱装置としてのヒータが設けられる。ヒータは、下型面６４及び上金面７４を、基本繊維の融点よりも低くかつ接着樹脂の融点よりも高い温度に加熱するものである。
【００６８】
また、上型７２は、下型６２に対して接近及び離間移動可能に配設支持されており、上型７２が下型６２に最接近した状態で、下型面６４に対向して上型面７４が配置され、下型面６４と上型面７４との間に円柱状の空間が形成される。そして、下型面６４と上型面７４との間で、不織部材３０を加熱及び加圧することによって、当該不織部材３０が下型面６４と上型面７４との形状に応じた上記形状に成型されるようになっている。
【００６９】
ワイヤーハーネス本体１２を覆うように取付けられた不織部材３０は、次のようにして上記ホットプレス用成形型６０に配設される。
【００７０】
すなわち、図１２及び図１３に示すように、上記不織部材３０のうち幹線部分１４を覆う部分を上記下型面６４内に配設する。
【００７１】
また、不織部材３０のうち枝線部分１６の基端部を覆う部分については、下型面６４からはみ出させた状態とする。好ましくは、不織部材３０のうち枝線部分１６の基端部を覆う部分の先端部を、凹部６５から外方にはみ出させて、ホットプレス用成形型６０の外方にはみ出させた状態とする。
【００７２】
この後、下型６２及び上型７４を加熱した状態で近接移動させ、両者間に圧を加える。すると、下型面６４と上型面７４との間で、幹線部分１４を覆う不織部材３０が加熱及び加圧される。これにより、不織部材３０のうち幹線部分１４を覆う部分は、当該幹線部分１４を覆う筒状の幹線保護部２４の形状に成型される。
【００７３】
また、不織部材３０のうち枝線部分１６の基端部を覆う部分であって上記凹部６５、７５内に配設される部分については、上記幹線保護部２４よりも柔らかい状態が維持されている。つまり、上記凹部６５、７５内に形成される空間は、下型面６４及び上型面７４とで形成される型面よりも大きく広がっているため、不織部材３０のうち凹部６５、７５内に配設される部分の圧縮率は、不織部材３０のうち下型面６４と上型面７４との間に配設される部分の圧縮率よりも小さい。また、凹部６５、７５は、ホットプレス用成形型６０の外側近くにあること等から、下型面６４及び上型面７４に比べて温度を低くし易く、このため、不織部材３０のうち凹部６５、７５内に配設される部分に加わる温度を、不織部材３０のうち下型面６４と上型面７４との間に配設される部分に加わる温度よりも小さくし易い。
【００７４】
このため、不織部材３０のうち枝線部分１６の基端部を覆う部分であって上記凹部６５、７５内に配設される部分については、当該部分に加わる圧縮率又は温度の少なくとも１つを小さくすることで、ホットプレスの加工程度を小さくすることができ、従って、枝線保護部２６は柔らく加工される。
【００７５】
また、ワイヤーハーネス本体１２の分岐箇所をより少ない不織部材３０（例えば、１枚の不織部材３０）によって覆うことができる。
【００７６】
また、不織部材３０のうち凹部６５、７５から外方にはみ出る先端部については、ホットプレス用成形型６０による直接的な加熱及び直接的な圧縮がなされない状態となり、その基端側部分よりもより柔らかく加工される。また、枝線保護部２６の先端部より延出する枝線部分１６は、ホットプレス用成形型６０外で枝線保護部２６から外方に延出するため、当該枝線部分１６の加熱をより確実に抑制できる。
【００７７】
この後、下型６２及び上型７２を離間移動させ、両者間から金型成型された保護部材２０を取出すと、ワイヤーハーネス１０が得られる。加熱及び加圧後の冷却は、下型６２と上型７２との間に存在する状態で行われてもよいし、それらの間から取出された状態で行われてもよい。
【００７８】
なお、上記実施形態では、幹線部分１４から１つの枝線部分１６が分岐する例で説明したが、同じ箇所から、他の枝線部分が分岐していてもよい。
【００７９】
以上のように構成されたワイヤーハーネス１０によると、保護部材２０は、不織部材３０が幹線部分１４と枝線部分１６の基端部を覆った状態で、前記不織部材３０のうち少なくとも幹線部分１４を覆う部分がホットプレスされることにより形成されており、不織部材３０のうち枝線部分１６の基端部を覆う枝線保護部２６が幹線保護部２４よりも柔らかく形成されている。このため、枝線保護部２６を形成する際に、当該枝線保護部２６の圧縮率又は温度のうちの少なくとも一方は小さい。従って、枝線保護部２６を形成する際に、その内部及びそこから延出する枝線部分１６の加熱を抑制することができる。
【００８０】
しかも、保護部材２０は、一辺部分の中間部から内側に向けてスリット３２が形成されたシート状の不織部材３０が、スリット３２の基端部に枝線部分１６の基端部を配設した状態で、不織部材３０のうちスリット３２の両側部分が幹線部分１４に巻付けられることにより形成されている。このため、幹線部分１４に対して、シート状の不織部材３０が隙間無くかつ均一な厚みで巻付けられることになり、幹線保護部２４の隙間を無くし、かつ、厚みの均一化を図ることができる。これにより、幹線保護部２４の形状保持性能の安定化及び耐摩耗性の品質安定化が可能となる。
【００８１】
また、不織部材３０のうちスリット３２の基端側への延長部分が他の部分よりも厚く形成され、その延長部分が枝線部分１６に対応する位置で幹線部分に巻付けられているため、幹線保護部２４のうち枝線部分１６に対応する箇所でも、不織部材３０を十分に厚くすることができる。
【００８２】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００８３】
１０  ワイヤーハーネス
１２  ワイヤーハーネス本体
１４  幹線部分
１６  枝線部分
２０  保護部材
２４  幹線保護部
２６  枝線保護部
３０  不織部材
３２  スリット
６０  ホットプレス用成形型
６４  下型面
６５、７５  凹部
７４  上型面
Ｄ  不織部材のうちスリットの基端側への延長部分
【図１】
2014107919.tif 000003
【図２】
2014107919.tif 000004
【図３】
2014107919.tif 000005
【図４】
2014107919.tif 000006
【図５】
2014107919.tif 000007
【図６】
2014107919.tif 000008
【図７】
2014107919.tif 000009
【図８】
2014107919.tif 000010
【図９】
2014107919.tif 000011
【図１０】
2014107919.tif 000012
【図１１】
2014107919.tif 000013
【図１２】
2014107919.tif 000014
【図１３】
2014107919.tif 000015